(57)【要約】【課題】本体部とは別体に構成された計測用センサを、ネジを用いなくても容易に取付けることができる盤用温度・湿度調節器を提供する。【解決手段】設定した温度または湿度に応じて、接続機器に制御信号をオンオフ出力する本体部２と、この本体部２とは別体に構成され、温度または湿度を検出してその情報を本体部２に入力する計測用センサ３とを備えた盤用温度・湿度調節器であって、この計測用センサ３を本体部２に対して着脱自在としたことを特徴とする。本体部２は盤内の機器取付板と取付レールとに選択可能に取り付けられるものである。計測用センサ３は本体部２に係止するための係止部を備える。【選択図】図３
2015103041.tif 000002
【特許請求の範囲】
【請求項１】
設定した温度または湿度に応じて、接続機器に制御信号をオンオフ出力する本体部と、この本体部とは別体に構成され、温度または湿度を検出してその情報を該本体部に入力する計測用センサとを備えた盤用温度・湿度調節器であって、この計測用センサを該本体部に対して着脱自在としたことを特徴とする盤用温度・湿度調節器。
【請求項２】
前記本体部は、盤内の機器取付板と取付レールとに選択可能に取り付けられるものであり、該機器取付板に当接する脚部と、該取付レールに取付けるためのレール取付部とを背面に備え、前記計測用センサは前記本体部に係止するための係止部を備え、該係止部は前記脚部の高さ内に形成されていることを特徴とする請求項１記載の盤用温度・湿度調節器。
【請求項３】
前記本体部を前記機器取付板と前記取付レールとの何れに取付けた場合にも、前記計測用センサは前記本体部の同一位置に取付け可能であり、前記計測用センサに前記機器取付板と前記取付レールへの当接部をそれぞれ設けたことを特徴とする請求項２記載の盤用温度・湿度調節器。
【発明の詳細な説明】
【技術分野】
【０００１】
本発明は、分電盤、配電盤などの内部の温度や湿度を調節するために用いられる盤用温度・湿度調節器に関するものである。
【背景技術】
【０００２】
盤用温度・湿度調節器は、盤内の温度を下げるためのファンや、盤内の温度を上げるためのヒータ等の機器と組み合わせて用いられ、計測センサにより感知した温度・湿度が設定した値に達したときにファンやヒータ等の機器に制御信号を出力し、これらの機器をオンオフ制御するために使用されるものである。その一例が本出願人の特許文献１に記載されている。
【０００３】
このような盤用温度・湿度調節器は、制御回路が収納された本体部と、盤内の温度または湿度を計測する計測用センサとから構成されている。この計測用センサは特許文献１のように本体部と一体に設けられ、本体付近の温度または湿度を計測するほか、盤内の本体部から離れた位置の温度を計測することも想定して、本体部とは別体の構造とすることがある。
【０００４】
従来、本体部と別体の計測用センサは、ネジによって盤内の機器取付板等に固定されていた。しかし取付に工具が必要であること、ネジ止め作業が必要であること、ネジ孔の加工が必要であること、計測用センサを取付けるための取付具が必要であり、部品点数が増加すること等の問題があった。
【先行技術文献】
【特許文献】
【０００５】
【特許文献１】特開２００７−１６４５５１号公報
【発明の概要】
【発明が解決しようとする課題】
【０００６】
従って本発明の目的は上記した従来の問題点を解決し、本体部とは別体に構成された計測用センサを、ネジを用いなくても容易に取付けることができる盤用温度・湿度調節器を提供することである。
【課題を解決するための手段】
【０００７】
上記の課題を解決するためになされた本発明の盤用温度・湿度調節器は、設定した温度または湿度に応じて、接続機器に制御信号をオンオフ出力する本体部と、この本体部とは別体に構成され、温度または湿度を検出してその情報を該本体部に入力する計測用センサとを備えた盤用温度・湿度調節器であって、この計測用センサを該本体部に対して着脱自在としたことを特徴とするものである。
【０００８】
請求項２の発明は、請求項１の発明において、前記本体部は、盤内の機器取付板と取付レールとに選択可能に取り付けられるものであり、該機器取付板に当接する脚部と、該取付レールに取付けるためのレール取付部とを背面に備え、前記計測用センサは前記本体部に係止するための係止部を備え、該係止部は前記脚部の高さ内に形成されていることを特徴とするものである。
【０００９】
請求項３の発明は、請求項２の発明において、前記本体部を前記機器取付板と前記取付レールとの何れに取付けた場合にも、前記計測用センサは前記本体部の同一位置に取付け可能であり、前記計測用センサに前記機器取付板と前記取付レールへの当接部をそれぞれ設けたことを特徴とするものである。
【発明の効果】
【００１０】
請求項１の発明によれば、前記計測用センサを前記本体部に対して着脱自在としたので、従来のように計測用センサの取付具は不要であり、前記計測用センサをネジを用いなくても容易に取付けることができる。
【００１１】
請求項２の発明によれば、前記本体部を盤内の前記機器取付板と前記取付レールの何れにも取付け可能であり、前記計測用センサは前記本体部に係止可能である。このため前記本体部の脚部の高さ内のデッドスペースを利用して、盤用温度・湿度調節器を取付けることができ、省スペースとなる。
【００１２】
請求項３の発明によれば、前記計測用センサに前記機器取付板と前記取付レールへの当接部をそれぞれ設けたので、前記計測用センサを前記機器取付板と前記取付レールの何れに対しても安定して支えることが可能となる。
【図面の簡単な説明】
【００１３】
【図１】盤用温度・湿度調節器を取付レールに取付けた状態を示す斜視図である。
【図２】盤用温度・湿度調節器を取付レールに取付けた状態を示す側面図である。
【図３】盤用温度・湿度調節器の背面斜視図である。
【図４】盤用温度・湿度調節器の背面斜視図である。
【図５】計測用センサの斜視図である。
【図６】他の実施形態を示す背面図である。
【図７】他の実施形態を示す背面図である。
【図８】他の実施形態を示す背面図である。
【発明を実施するための形態】
【００１４】
以下に本発明の好ましい実施形態を説明する。
図１は本発明の盤用温度・湿度調節器を取付レール１に取付けた状態を示す斜視図、図２はその側面図である。これらの図中、２は盤用温度・湿度調節器の本体部、３はこの本体部２とは別体構造の計測用センサである。計測用センサ３には、盤内の温度及び湿度の検出手段が内蔵されている。また本体部２には、計測用センサ３によって計測された温度または湿度を設定値と比較し、接続機器に制御信号をオンオフ出力する機能を持つ制御回路が内蔵されている。
【００１５】
計測用センサ３と本体部２とは、図示しないケーブルによって接続されている。また図示されていないが、本体部２は盤内の温度を下げるためのファンや、盤内の温度を上げるためのヒータ等の機器と接続されており、制御信号をオンオフ出力する。なお取付レール１は、上下両側に段状の張出部４を備えた、業界において周知のＩＥＣレールである。
【００１６】
図３は本発明の盤用温度・湿度調節器の背面斜視図である。図示のように、本体部２の背面には、本体部２を機器取付板に取付けたときに機器取付板に当接する脚部５と、本体部２を取付レール１に取付けるときに使用されるレール取付部６とが背面板７から突出形成されている。レール取付部６は、取付レール１の張出部４に弾性的に係合できるように上下に対向配置された係合爪からなる。その取付け状態は、図２に示す通りである。
【００１７】
一方、本体部２の脚部５は本体部２を機器取付板に取付ける場合に使用されるものであり、中央部の脚部５にはネジ取付孔８が形成されている。これらのネジ取付孔８にネジを挿通して本体部２を機器取付板に取付けることができる。
【００１８】
また本体部２の背面板７の角部には、上下方向に延びる板状の脚部９が突設されている。これらの脚部９は、本体部２を機器取付板に取付けたときのがたつきをなくして安定保持させるためのものである。脚部５、脚部９の背面板７からの突出高さは、レール取付部６と同じかそれ以上となっている。これはレール取付部６が干渉することなく本体部２を機器取付板に取付けるためである。これらの脚部５、９は相互間の脚部の高さ内に隙間を持たせて配置されている。
【００１９】
このほか、本体部２の背面板７には、スリット状の空隙１０が上下方向に形成されている。この空隙１０は脚部５と下側の脚部９との間に形成されており、以下に説明する計測用センサ３を取付けるために用いられる。
【００２０】
図５に計測用センサ３の斜視図を示す。計測用センサ３のケースの背面側の片側の側面下部から、ネジ取付部１１が側方及び後方に突出形成されている。ネジ取付部１１はネジ取付孔１２を備えている。このネジ取付部１１によって、計測用センサ３は盤内の任意の位置に取付けることも可能となる。なお図５に示されるように、計測用センサ３のネジ取付部１１とは反対側の側面には、板状脚部１３を突設することが好ましい。これによって機器取付板に固定したときの安定性を向上させることができる。ネジ取付部１１は本体部２の脚部９と略同一高さに背面側に突出形成されている。背面側にネジ取付部１１を突出形成することで、盤用温度・湿度調節器を取付レール１に取付ける場合での取付レール１の前端面と計測用センサ３の背面１７との干渉を避け、ネジ取付部１１を本体部２の脚部９と略同一高さに形成することで、盤用温度・湿度調節器を機器取付板に取付ける場合での計測用センサ３の前後方向のガタツキを抑えることができる。
【００２１】
また計測用センサ３は、本体部２に係止するための係止部を備えている。この実施形態では、係止部は爪部１４と、ネジ取付部１１に形成された溝部１５とからなる。
【００２２】
爪部１４は、図４に示すように前記した本体部２のスリット状の空隙１０に挿入され、計測用センサ３を本体部２に着脱自在に取り付けるための部材である。取付は図３の状態で爪部１４を本体部２の背面板７上に背面方向に撓んだ状態で位置させ、図４の位置まで計測用センサ３を下方にスライドさせて行う。このとき図４のように係止部の溝部１５と前記した本体部２の脚部９とが係合するため、左右方向及び下方向への動きは規制される。また爪部１４が空隙１０に落ち込むため、上方向への動きも規制することができる。このようにして、計測用センサ３を本体部２に対して着脱自在とすることができる。
【００２３】
なお、計測用センサ３を本体部２に取付ける作業は、本体部２を機器取付板または取付レール１に取付けた後においても可能である。すなわち図３のように計測用センサ３を本体部２の背面の隙間に側方から差し込み、下方にスライドさせればよい。デッドスペースであった隙間を利用して、盤用温度・湿度調節器を取付けることができ、省スペースとなる。本体部２を機器取付板に取付けたときにはネジ取付部１１と板状脚部１３が機器取付板との当接部となる。また本体部２を図２のように取付レール１に取付けたときには、計測用センサ３の背面１７が取付レール１の前面との当接部となり、安定保持される。
【００２４】
上記したように、本発明によれば計測用センサ３を本体部２に対して着脱自在としたので、計測用センサ３をネジを用いなくても本体部２に容易に取付けることができる。また、本体部２を機器取付板と取付レール１の何れに取付けた場合にも、計測用センサ３は本体部２の同一位置に取付け可能である。なお計測用センサ３は、本体部２から分離して任意の場所にネジにより取付けることもできる。
【００２５】
上記した実施形態では、計測用センサ３を本体部２に係止するための係止部は、爪部１４と、ネジ取付部１１に形成された溝部１５とからなるものであった。しかし係止部の形態はこれに限定されるものではない。
【００２６】
図６に示す他の実施形態では、計測用センサ３の係止部は、弾性変形可能なバネ部２０と、ネジ取付部１１に形成された溝部１５とからなる。このバネ部２０は計測用センサ３の背面を構成する樹脂で一体に成形されたもので、ループ形状となっている。本体部２に計測用センサ３を側方から差し込み、バネ部２０を撓ませながら本体部２の脚部５の下側に嵌め込んだうえで下方にスライドさせ、溝部１５を本体部２の脚部９に係合させ、固定する。
【００２７】
図７に示す他の実施形態では、計測用センサ３の係止部は、弾性変形可能なバネ部２１からなる。このバネ部２１も計測用センサ３の背面を構成する樹脂で一体に成形されたもので、ループ形状となっている。本体部２に計測用センサ３を側方から差し込み、バネ部２１を撓ませながら脚部５に巻き付かせて固定する。
【００２８】
図８に示す他の実施形態では、計測用センサ３の係止部は、本体部２の脚部５の周囲を覆う閉じたループ２２である。この実施形態では本体部２を取付ける前に計測用センサ３を本体部２に取付ける。
【００２９】
なお図７、図８の実施形態では計測用センサ３にネジ取付部１１がないが、ネジ取付部１１を設けて本体部２の脚部９に係合させる構造とすることもできる。また、上記の各実施形態では何れも計測用センサ３を本体部２の側方に取付けたが、本体部２の上下面やその他の側面に取付けることも可能である。
【符号の説明】
【００３０】
１  取付レール
２  本体部
３  計測用センサ
４  張出部
５  脚部
６  レール取付部
７  背面板
８  ネジ取付孔
９  板状の脚部
１０  空隙
１１  ネジ取付部
１２  ネジ取付孔
１３  板状脚部
１４  爪部
１５  溝部
１７  背面
２０  バネ部
２１  バネ部
２２  ループ
【図１】
2015103041.tif 000003
【図２】
2015103041.tif 000004
【図３】
2015103041.tif 000005
【図４】
2015103041.tif 000006
【図５】
2015103041.tif 000007
【図６】
2015103041.tif 000008
【図７】
2015103041.tif 000009
【図８】
2015103041.tif 000010
【手続補正書】
【提出日】平成26年1月9日(2014.1.9)
【手続補正１】
【補正対象書類名】明細書
【補正対象項目名】０００２
【補正方法】変更
【補正の内容】
【０００２】
盤用温度・湿度調節器は、盤内の温度を下げるためのファンや、盤内の温度を上げるためのヒータ等の機器と組み合わせて用いられ、計測センサにより感知した温度・湿度が設定した値に達したときにファンやヒータ等の接続機器を、オンオフ制御するために使用されるものである。その一例が本出願人の特許文献１に記載されている。
【手続補正２】
【補正対象書類名】明細書
【補正対象項目名】０００７
【補正方法】変更
【補正の内容】
【０００７】
上記の課題を解決するためになされた本発明の盤用温度・湿度調節器は、設定した温度または湿度に応じて、接続機器をオンオフ制御する本体部と、この本体部とは別体に構成され、温度または湿度を検出してその情報を該本体部に入力する計測用センサとを備えた盤用温度・湿度調節器であって、この計測用センサを該本体部に対して着脱自在としたことを特徴とするものである。
【手続補正３】
【補正対象書類名】特許請求の範囲
【補正対象項目名】全文
【補正方法】変更
【補正の内容】
【特許請求の範囲】
【請求項１】
設定した温度または湿度に応じて、接続機器をオンオフ制御する本体部と、この本体部とは別体に構成され、温度または湿度を検出してその情報を該本体部に入力する計測用センサとを備えた盤用温度・湿度調節器であって、この計測用センサを該本体部に対して着脱自在としたことを特徴とする盤用温度・湿度調節器。
【請求項２】
前記本体部は、盤内の機器取付板と取付レールとに選択可能に取り付けられるものであり、該機器取付板に当接する脚部と、該取付レールに取付けるためのレール取付部とを背面に備え、前記計測用センサは前記本体部に係止するための係止部を備え、該係止部は前記脚部の高さ内に形成されていることを特徴とする請求項１記載の盤用温度・湿度調節器。
【請求項３】
前記本体部を前記機器取付板と前記取付レールとの何れに取付けた場合にも、前記計測用センサは前記本体部の同一位置に取付け可能であり、前記計測用センサに前記機器取付板と前記取付レールへの当接部をそれぞれ設けたことを特徴とする請求項２記載の盤用温度・湿度調節器。